(57)【要約】      （修正有）【課題】弁当、惣菜等の食品を個装して陳列販売する場合に、故意或いは悪戯により他人が一旦開封したことを判断できる構成を有する粘着テープ及びこれを粘着した食品容器を提供する。【解決手段】粘着テープ１の少なくとも一方の端縁部に、３〜６ｍｍ幅の粘着剤非塗布部を設けた粘着テープの粘着剤塗布部の切断端部４のほぼ中央部に、長さ方向のスリット５が設けられている粘着テープであり、平面形状がほぼ方形であって、容器本体の開口部を上方から覆う蓋を有する食品容器において、食品を収納した本体７に蓋８が被せられ、互いに対向する少なくとも１対の辺が上記粘着テープによりそれぞれ連結、固定されている。【選択図】図１
2010160420.tif 000002
【特許請求の範囲】
【請求項１】
テープの少なくとも一方の端縁部に、３〜６ｍｍ幅の粘着剤非塗布部を設けた粘着テープの粘着剤塗布部のほぼ中央部に、長さ３〜７ｍｍのスリットが２〜３．５ｍｍの間隔を保ってテープの長さ方向に穿設されていることを特徴とする特殊粘着テープ。
【請求項２】
テープの少なくとも一方の端縁部に、３〜６ｍｍ幅の粘着剤非塗布部を設けた粘着テープにおいて、２列以上の粘着剤塗布部が粘着剤非塗布部を介して設けられ、それぞれの粘着剤塗布部のほぼ中央部に、長さ３〜７ｍｍのスリットが２〜３．５ｍｍの間隔を保ってテープの長さ方向に穿設されていることを特徴とする特殊粘着テープ。
【請求項３】
テープの少なくとも一方の端縁部に３〜６ｍｍ幅の粘着剤非塗布部を設けた粘着テープにおいて、３或いはそれ以上の数に粘着剤塗布部を幅方向にほぼ等分する位置に、長さ３〜７ｍｍのスリットを２〜３．５ｍｍの間隔を保ってテープの長さ方向に穿設したことを特徴とする特殊粘着テープ。
【請求項４】
テープの少なくとも一方の端縁部に３〜６ｍｍ幅の粘着剤非塗布部をテープの長さ方向に設けた粘着テープの粘着剤塗布部のほぼ中央部に、長さ５〜１５ｍｍのスリットを長さ方向に１００ないし２００ｍｍの間隔を保って設けた粘着テープであって、粘着テープ貼着機械のテープ切断機構を、スリットの中央部を切断させるために、スリットを設けた位置を感知させるための着色部位をスリットと同間隔に設けたことを特徴とする特殊粘着テープ。
【請求項５】
平面形状がほぼ方形であって、容器本体の開口部を上方から覆う蓋を有する食品容器において、
食品を収納した本体に蓋が被せられ、互いに対向する少なくとも１対の辺が粘着テープによりそれぞれ連結、固定されている食品容器であって、粘着テープの切断端部の粘着剤塗布部のほぼ中央部に、２．５ないし７ｍｍの長さ方向のスリットが設けられていることを特徴とする粘着テープ貼り食品容器。
【請求項６】
平面形状がほぼ方形であって、容器本体の開口部を上方から覆う蓋を有する食品容器において、
食品を収納した本体に蓋が被せられ、互いに対向する少なくとも１対の辺が粘着テープによりそれぞれ連結、固定されている食品容器であって、粘着テープの切断端部の粘着剤塗布部のほぼ中央部の、切断端部から０ないし３．５ｍｍ離れた部位に３ないし７ｍｍの長さ方向のスリットが設けられていることを特徴とする粘着ープ貼り食品容器。
【請求項７】
食品容器が、平面形状がほぼ方形であり、容器本体の全外周から外方に延出するフランジを有する本体と、該本体に被さる蓋とからなる食品容器であることを特徴とする請求項５又は６に記載する粘着テープ貼り食品容器。
【発明の詳細な説明】
【技術分野】
【０００１】
本発明は改ざん防止粘着テープに関し、弁当、惣菜等の食品を個装して陳列販売する場合に、故意或いは悪戯により他人が一旦開封したことを需要者及び販売店員が容易に判断することができる改ざん防止結紮テープに関する。
【背景技術】
【０００２】
近時、弁当や惣菜等の食品を使い捨てプラスチック容器に収納し、蓋を被せて販売する形態が汎用されている。コンビニエンスストアやスーパーマーケット等ではラップフィルムで包んだり、シュリンクフィルムで包装したりして販売されている。弁当や惣菜等の内容物は種々のものがあるため、消費者が内容物の種類、品質等を速やかに判断できるように透明な蓋が用いられている。
【０００３】
弁当、惣菜類等の食品の流通が増加するにつれ、容器本体と蓋をまとめて包装するプラスチック包装材を低減しようとする試みがなされている。そのため、容器本体に蓋を被せた後、プラスチック製の容器の互いに対向する辺に、所定の長さに切断した粘着テープを本体と蓋にわたって貼着し固定する方法が試みられた。しかしながら、粘着テープは本体や蓋に密着しているので剥がし難い。本発明者はテープを剥がし易くするために粘着テープの両端縁部に指先が入る程度の幅に粘着剤非塗布部を設け、この非塗布部に指先を入れて剥がし易くした。
【０００４】
この方法は粘着テープの一部を剥がして容器を開封しても、再度密封することにより一旦開封された事実を外観から判断することができない。このことは悪意の人が商品を一旦開封して内容物に不純物を加えたり、内容物の一部を抜き取ったりしても、他の消費者はこの事実を判断することができない。すなわち、改ざんが容易であることを意味する。
【０００５】
改ざん防止の食品容器としては、特許文献１には蓋を開くことにより、蓋の一部が折れ曲がる食品容器が開示されている。又、特許文献２には容器本体と蓋とを二重に嵌合させることにより、一回の開封により、開封した事実が外観上判明する改ざん防止性と開封後も残った嵌合手段によりリパック性を併有した食品容器が開示されている。
【０００６】
引用文献３及び引用文献４には、破断強度が小さく且つ破断時の伸びが小さい脆質フィルムからなるテープを用いて封緘し、一度でも開封することにより曲げ応力が加わった部位が白化して改ざん防止機能を有するラベルやシートが開示されている。これらの技術によると、特殊の基材フィルムを使用するために価格が上昇し、弁当や惣菜等の安価な商品に採用することは経済的に困難であった。また、引用文献５には、通常の粘着テープ基材の両端縁部のやや内側に長さ０．５〜１．５ｍｍのスリットを一定間隔に設け、粘着テープ単位長さ当たりのスリットの長さの合計を２５〜５０％に形成して粘着テープの手切れ性を改良した粘着テープが開示されている。
【先行技術文献】
【特許文献】
【０００７】
【特許文献１】特開２００２−０６８３０６公報
【特許文献２】特開２００６−３０６４７５公報
【特許文献３】特開２０００−０７２９１０公報
【特許文献４】特開２００６−１４３９９５公報
【特許文献５】特開２００１−３５４９２３公報
【発明の概要】
【発明が解決しようとする課題】
【０００８】
本発明食品容器は一般に平面形状が方形である。方形とは正確に四辺形である必要はなく、角部に大胆な丸みを持たせた形状も包含する。
本発明は食品容器と蓋を特殊の粘着テープを用いて互いに対向する少なくとも一対の辺を粘着テープを用いて貼着、固定し、容器や蓋の形状を全く変更することなく、改ざんを防止できる新規な方法を提供する。
【０００９】
本発明は対面販売でなく、顧客が自由に手にとって商品に接触することができるコンビニエンスストアやスーパーマーケット等に提供する商品において特に有効である。弁当や惣菜等の容器本体と蓋とからなる食品容器に内容物を装入した後、ほぼ方形の容器の互いに対向する辺に、粘着テープを本体と蓋に亘ってそれぞれ固定する包装形態である。
【００１０】
容器の互いに対向する辺を、それぞれ上記の粘着テープを用いて封止する。一対の互いに対向する辺を粘着テープで封止する場合には、粘着テープの切断端部が合計４つ形成されるが、それぞれの切断端部５或いは切断端部５の近傍の粘着剤塗布部にスリットを設けるものである。このようなスリットを設けることにより、貼着されている粘着テープを一旦剥がして容器を開封すると、粘着テープの端部がスリットを開始点として斜めに千切れる。一旦千切れた粘着テープは剥がされない状態に再貼着することが極めて困難で、改ざん防止に有効である。
【課題を解決するための手段】
【００１１】
本発明の粘着テープは通常の粘着テープを製造する機器を用い、通常の粘着テープ素材を用いて製造することができる。更に、少なくとも一方の端縁部、好ましくは両端縁部に指が入る程度、すなわち、３〜６ｍｍ幅、好ましくは３．５〜５ｍｍ幅の粘着剤非塗布部を設けたものである。この粘着テープは一方の端縁部を摘んで引張ることにより、テープの切断端部から剥がれ初め開封が容易である。したがって、端縁部に指先が入る程度の粘着剤非塗布部を設けた粘着テープは本発明の前提である。しかも、この粘着テープは、従来の一般的に使用されている粘着テープと同様の機械、原料を用いて製造するために、従来の粘着テープと殆ど変わらない価格で提供することができる。
【００１２】
本発明の粘着テープは通常の市販されている粘着テープと同様の基材及び粘着剤からなるものである。粘着剤塗布部のほぼ中央部に長さ３〜７ｍｍのスリットが、２〜４ｍｍの間隔を保って、テープの粘着剤塗布部のほぼ中央部に長さ方向に設けられている。本発明粘着テープで封止した食品容器は、容器の互いに対向する一方の辺のみを封止したとしても、合計４か所の粘着テープ切断部位４が形成される。容器の互いに対向する２対の辺を封止すれば、合計８か所の粘着テープ切断部位４が形成される。
【００１３】
商品の改ざんを試みる悪意の人は、粘着テープの一部を剥がさなければ、異物を挿入することができない。粘着テープを剥がし始めると、粘着テープの切断部位の粘着剤塗布部のスリットからテープの斜め方向の破れが必ず発生する。破れていなければ、粘着テープの剥がした部位を容器に再度貼着することが可能であるが、一旦、斜めに千切れた粘着テープを破れない状態に戻すことはできない。
【発明の効果】
【００１４】
本発明粘着テープは従来の広く市販されている粘着テープと同様の製造機械を使用し、同様の原料を用いて製造できるため、本発明粘着テープを使用する場合は従来と殆ど変わらないコストで実施することが可能である。消費者にとっては開封容易であり、しかも、充分な改ざん防止効果を有する。
【図面の簡単な説明】
【００１５】
【図１】図１は本発明食品容器の１実施例を示す斜視図である。
【図２】図２は図１の破線からなる円で囲った部位の拡大平面図である。
【図３】図３は図１の一方の粘着テープを剥がした後の状態を示す斜視図である。
【図４】図４は本発明の１実施例の粘着テープを示す斜視図である。
【図５】図５は図４の粘着テープの拡大平面図である。
【図６】図６は粘着テープの他の実施例の平面図である。
【図７】図７は粘着テープの他の実施例の平面図である。
【図８】図８は本発明食品容器の他の実施例の斜視図である。
【発明を実施するための形態】
【００１６】
本発明に係る粘着テープ１は、片面に粘着剤を塗布した粘着テープであり、図面に示すように、粘着塗布部２と粘着剤非塗布部３とからなる。粘着剤非塗布部は少なくとも一方の端縁部に設け、両端縁部に設けることが更に好ましい。この粘着剤非塗布部３は蓋を開封するにあたり、切断端部４の近傍の粘着剤非塗布部３に指を入れて剥がし初め、そのまま切断端部４を剥がすことにより易開封性を付与したものである。粘着剤非塗布部の幅は３〜６ｍｍ、好ましくは３．５〜５ｍｍである。少なくとも一方の端縁部に設けた粘着剤非塗布部３は本発明の大前提である。
【００１７】
図１及び図２に示すように、切断端部の粘着剤塗布２のほぼ中央部に長さ方向のスリット５を設ける。開封するにあたり、切断端部４周辺の粘着剤非塗布部３から剥がし始めるとスリット５が存在するために、スリットから破れが生じ、図３に示すような破片６が残る。この破片６が残ると再度密封するときに、破片と破った粘着テープとの位置を揃えることが困難であり、消費者は粘着テープが一度剥がされたことを容易に認識することができる。
【００１８】
本発明の容器本体７及び蓋８は、ポリプロピレン、ポリスチレン、ポリエチレン、ブタジエン、ポリエステル、ポリアミド等のプラスチックこれらの共重合体、ポリマーブレンド等からなる容器である。一般にはシート成型した容器が使用される。周囲にフランジを延出した形状が多いが、図８のようにフランジのない蓋も使用できる。容器本体と蓋は同一素材であっても異種素材であってもよい。容器本体は透明であっても不透明であってもよいが蓋は透明であることが好ましい。容器本体には仕切り壁や凹凸模様等を任意に設けることができる。
【００１９】
工業的に実施するためには、全自動サイド貼り機を用い、粘着テープを所望の長さに切断し、自動的にテープを蓋と本体に跨がって貼着する。この場合は、図１に示すように、粘着テープ１の切断端部４となる位置に予めスリット５を設けた巻回粘着テープを使用することもできる。この場合には、全自動サイド貼り機のテープ切断機構にスリット５の存在位置を認識させるための着色部位を設けて予め設けたスリット５の中心部を正確に切断させる。
或いは、粘着テープ１が巻出された後の、容器に貼着されるまでの間に、所定の間隔でスリットを穿設する機構を設けることもできる。このように、スリット５を使用する粘着テープの切断端部になる位置にスリット５を設ける方法に限定はない。
【００２０】
使用する粘着テープの長さが種々に変更する工場においては、予めスリットを設けた巻回粘着テープは、スリットとスリットの間隔が異なる多種類の巻回粘着テープを備えなければならない。この場合には図４及び図５に示すような粘着テープを使用することができる。粘着剤塗布部２の長さ方向中央部に破線状にスリット５を設ける。
【００２１】
図４及び図５の場合は、幅２０ｍｍのテープを用い両端縁部に５ｍｍずつの粘着剤非塗布部を設けた。したがって、粘着剤塗布部の幅は１０ｍｍである。スリット長さ４ｍｍ、スリット間隔２ｍｍとした。粘着テープ１の切断位置は予測不能であるが、切断端部４がスリットと最も離れた部位にきた場合にもスリットは２ｍｍ奥に存在することになる。この場合でも切断端部に加わる緊張が２ｍｍ奥にあるスリットに伝播し、粘着テープを剥がそうとすると斜めに破れて破片６が残った。
【００２２】
一般に、スリットの長さは３〜７ｍｍ、好ましくは３．５〜６ｍｍであり、粘着テープの全長に占めるスリットのみの全長は５５〜８０％である。スリット５の長さが３ｍｍ未満では、粘着剤非塗布部３から応力が加わった場合に粘着テープが斜めに破れない場合がある。一方、スリットの長さが７ｍｍを越えると、粘着テープ１の巻出しや容器への貼着工程で加わる応力に対応できず、貼着前に破れるおそれがある。スリット間の間隔は２〜３．５ｍｍ、好ましくは２．５〜３ｍｍである。２ｍｍ未満では巻回粘着テープの使用中にタテ方向に避ける場合があり、３．５ｍｍを越えると、切断端部から３．５ｍｍ以上も奥にスリットが存在することになり、開封するときに斜めに破れず、改ざん防止に役立たない。
【００２３】
粘着テープが幅広の場合には、粘着剤塗布部は１本に限らず、図６に示すように、２本以上設けることができる。この場合には、各粘着剤塗布部のほぼ中央部にスリット５を設ける。スリットは粘着剤塗布部に設けるが、必ずしも粘着剤塗布部の中央部ではない。粘着剤塗布部の幅が広い場合には粘着剤塗布部を幅方向に等分する位置に２本以上のスリットを設ける。図７の場合は、２本のスリット５を粘着剤塗布部を３等分する位置に設けたが、４等分する位置でも差し支えない。
【００２４】
本発明に使用する食品容器は図１に示すようにフランジを有するものに限定しない。図８に示すように、容器本体に載せるのみの蓋を有する食品容器にも使用される。図８は外観は蓋を単に載せたように見えるが、内部で本体と蓋とが嵌合していてもよい。
【産業上の利用可能性】
【００２５】
本発明の粘着テープ及びテープ貼り食品容器は、スーパーマーケットやコンビニエンスストアーで大量に販売される弁当、惣菜等の食品容器に使用され、開封性を損なうことなく悪意の改ざんを防止することができる。
【符号の説明】
【００２６】
１は、粘着テープ
２は、粘着剤塗布部
３は、粘着剤非塗布部
４は、切断端部
５は、スリット
６は、開封後の破片
７は、本体
８は、蓋
９は、紙管
１０は、フランジ
【図１】
2010160420.tif 000003
【図２】
2010160420.tif 000004
【図３】
2010160420.tif 000005
【図４】
2010160420.tif 000006
【図５】
2010160420.tif 000007
【図６】
2010160420.tif 000008
【図７】
2010160420.tif 000009
【図８】
2010160420.tif 000010